(57)【特許請求の範囲】
【請求項１】
筐体と、該筐体に引出し可能に収容した引出体と、該各引出体に取り付けた複数の収納容器とからなり、各収納容器に収容した薬剤を処方箋データに基づいて供給するようにした薬剤供給装置において、
前記引出体に、前記収納容器から送出された薬剤を収集するためのコンベア装置を設け、
前記筐体に前記コンベア装置によって収集された薬剤を回収する回収ボックスを設け、
前記コンベア装置は、筐体に引出体を収容した状態で、正転駆動することにより、前記収納容器から送出された薬剤を、前記回収ボックスに搬送可能とする第１経路と、筐体から引出体を引き出した状態で、逆転駆動することにより、前記収納容器から送出された薬剤を、前記回収ボックスに搬送可能とする第２経路とを形成することを特徴とする薬剤供給装置。
【請求項２】
前記コンベア装置は、筐体に引出体を収容した状態で、前記コンベア装置の一端部が前記回収ボックスの近傍に位置し、筐体から引出体を引き出した状態で、前記コンベア装置の他端部が前記回収ボックスの近傍に位置することを特徴とする請求項１に記載の薬剤供給装置。
【発明の詳細な説明】
【０００１】
【発明の属する技術分野】
本発明は、薬剤供給装置に関するものである。
【０００２】
【従来の技術】
従来、薬剤供給装置として、筐体に引き出し可能に収容した引出体に、種類別に薬剤を収納してなる収納容器を取り付けた構成のものがある。
【０００３】
また、筒状ドラムの外周部に収納容器を配置し、該収納容器から薬剤をドラムの内側に排出する構成のものがある（例えば、特開平7-52901号公報参照）。
【０００４】
【発明が解決しようとする課題】
しかしながら、前者の薬剤供給装置では、薬剤を補給する際、引出体を引き出すと、薬剤供給処理が中断されるという問題がある。
【０００５】
また、後者の薬剤供給装置では、薬剤供給処理の中断という問題は解消されるが、占有スペースが大きくなるという問題がある。
【０００６】
そこで、本発明は、薬剤供給処理を中断させることなく、薬剤の補給作業が可能で、しかも占有スペースの小さい薬剤供給装置を提供することを課題とする。
【０００７】
本発明は、前記課題を解決するための手段として、
筐体と、該筐体に引出し可能に収容した引出体と、該各引出体に取り付けた複数の収納容器とからなり、各収納容器に収容した薬剤を処方箋データに基づいて供給するようにした薬剤供給装置において、
前記引出体に、前記収納容器から送出された薬剤を収集するためのコンベア装置を設け、
前記筐体に前記コンベア装置によって収集された薬剤を回収する回収ボックスを設け、
前記コンベア装置は、筐体に引出体を収容した状態で、正転駆動することにより、前記収納容器から送出された薬剤を、前記回収ボックスに搬送可能とする第１経路と、筐体から引出体を引き出した状態で、逆転駆動することにより、前記収納容器から送出された薬剤を、前記回収ボックスに搬送可能とする第２経路とを形成するようにしたものである。
【０００８】
前記コンベア装置は、筐体に引出体を収容した状態で、前記コンベア装置の一端部が前記回収ボックスの近傍に位置し、筐体から引出体を引き出した状態で、前記コンベア装置の他端部が前記回収ボックスの近傍に位置するのが好ましい。
【００１２】
【発明の実施の形態】
以下、本発明に係る実施形態を添付図面に従って説明する。
【００１３】
図１は、本実施形態に係る薬剤供給装置を示す。この薬剤供給装置の筐体１には、３つの引出体２ａ，２ｂ，２ｃが収容されている。
【００１４】
両側の引出体２ａ，２ｂには、図２に示すように、上下２段で収納容器３が装着されている。詳しくは、上下段に設けた取付板４に、収納容器３がネジ止めされている。ネジ止めは、取付板４の中央部に長手方向に沿って形成したスリット（図示せず）を介して行われる。したがって、収納容器３を所望の位置に取り付けることができ、幅寸法の異なる収納容器３であっても、取付場所の制約を受けることはない。このため、取り扱う薬剤の種類や数量等が相違する各医療機関において、取り付ける収納容器３の種類を選択することにより、柔軟に対応することが可能である。
【００１５】
収納容器３は、図３ないし図５に示すように、異なる種類の薬剤を収容する３種類用意されている。いずれの収納容器３も、前面に開閉可能な扉５を備え、上下方向に薬剤を積層可能な構成となっている。背面６は、上方に向かうに従って後方に傾斜している。これにより、積層した薬剤が後方側に傾き、扉５を開放した際の脱落が防止される。また、収納容器３の下部には保持手段７と送出手段８とが設けられている。保持手段７は、モータ７ａの駆動により、収納容器３の対向する側面から保持部９を出没させる構成である。送出手段８は、収納容器３の底面に位置し、最下部の薬剤を側方に向かって送出する構成である。なお、送出手段８によって送出される薬剤は図示しないセンサによって検出される。
【００１６】
図３に示す収納容器３は、図６に示すブリスターパック（blister pack）１０の送出に適している。すなわち、保持手段７の保持部９は、最下層と２番目のブリスターパック１０のシート貼着面１０ａ間に突出して、２番目より上方のブリスターパック１０を支持する突出片１１で構成されている。また、送出手段８は、モータ１２ａの駆動により、支軸１２ｂを中心として下方に向かって約４５度傾動するシュート１２で構成されている。
【００１７】
図４に示す収納容器３は、図７に示す箱詰めされた薬剤の送出に適している。すなわち、保持手段７の保持部９は、前記図３同様、２番目より上方の箱１６の底面両側部を保持する突出片１１で構成されている。また、送出手段８は、支軸１４を中心として傾動する搬送ベルト１５で構成されている。そして、最下部に位置する箱１６を搬送ベルト１５によって所定寸法移動させ、前記突出片１１により下方より２番目の箱１６を保持した状態で待機する。
【００１８】
図５に示す収納容器３は、図８に示す複連（実施例では５連）プラスチックアンプル１７の送出に適している。すなわち、保持手段７の保持部９は、プラスチックアンプル１７の各アンプルの底部を支持する複数の爪部１８と、プラスチックアンプル１７の頂部を支持する突出片１１で構成されている。これにより、既に切断済みのアンプル１７であっても再度収納することができる。また、送出手段８は、前記図４に示すものと同様に搬送ベルト１５で構成されている。但し、搬送ベルト１５の先端部にはアンプル１７を１本ずつに切断するための切断手段であるロータ１９（例えば、特開平８−２４３１４６号公報参照）が設けられている。
【００１９】
図４及び図５に示す収納容器３では、搬送ベルト１５により積極的に薬剤を搬送可能となっているので、その回動角度を抑えることができる。したがって、収納容器３が占有するスペースが小さくなり、上下方向に多くの収納容器３を配置することができ、収納容器３の高集積化が可能となる。特に、箱詰めされた薬剤を収納する収納容器３において、その効果を発揮する。
【００２０】
中央の引出体２ｃには、昇降リフター２０によって昇降する枠体２１が設けられている。昇降リフター２０は、引出体２ｃに上下に配設したローラ２２間にタイミングベルト２３を掛け渡し、該タイミングベルト２３の一部を枠体２１に固定したものである。枠体２１の底面は、本発明の収集手段であるベルトコンベア２４で構成されている。ベルトコンベア２４は、図９に示すように、５つのプーリ２５ａ，２５ｂ，２５ｃ，２５ｄ，２５ｅにベルト２６を掛け渡したものである。ベルト２６は、プーリ２５ｄを図示しないモータによって正逆回転させることにより循環し、べルト２６の上に載置した薬剤を前後いずれの方向にも搬送可能である。プーリ２５ａ及びプーリ２５ｂは、図１に示すように、モータ３０の回転軸に設けたラック３１及びピニオン３２を介して前後に往復移動し、ベルト２６の前端（伸縮端）を伸縮させることができる。また、ベルト２６の後端には、上下方向に開閉可能なシャッター２７が配置されている。
【００２１】
筐体１の底部の前面側には、ベルトコンベア２４の収縮端の下方に位置する回収ボックス２８が設けられている。回収ボックス２８は、筐体１を貫通して設けられたレール上を搬送可能に設けられている。
【００２２】
なお、前記引出体２ａ，２ｂ，２ｃは、通常、図示しない連結部材によって連結され、一体的に筐体１から引き出され、又、筐体１内に収容される。但し、メンテナンス時等には、前記連結部材を解除して、中央部の引出体２ｃのみを引き出し、又、収容させることも可能である。
【００２３】
また、前記回収ボックス２８に代えて、又は、この回収ボックス２８から薬剤が供給される位置に包装装置を設けることにより、回収された薬剤毎に包装するようにしてもよい。
【００２４】
次に、前記構成の薬剤供給装置の動作を説明する。
【００２５】
処方箋データを受信すれば、そのデータに従って該当する薬剤が収容された収納容器３を特定する。そして、その収納容器３が上下段のいずれにあるのかを判断する。該当する収納容器３が下段に位置する場合、ベルトコンベア２４の位置はそのままとし、上段に位置する場合、昇降リフター２０を駆動することによりベルトコンベア２４を上昇させる。続いて、送出手段８を駆動することにより、最下部の薬剤を送出する。送出された薬剤は、ベルトコンベア２４のベルト２６上に載置される。このとき、センサによって薬剤の送出が検出されるので、ベルトコンベア２４を駆動し、送出された薬剤の位置をずらせる。したがって、次に送出される薬剤はベルト２６上の薬剤に邪魔されることがなく、スムーズに送出される。以下、処方箋データで特定される所定数量に到達するまで、前記動作を繰り返す。
【００２６】
このようにして所定数量の薬剤がベルトコンベア２４に送出されると、ベルトコンベア２４が下段に位置する場合にはベルトコンベア２４をそのままの状態とし、上段に位置する場合にはベルトコンベア２４を一旦下降させる。そして、図９（ｂ）に示すように、ベルトコンベア２４を正方向に駆動すると共に、ベルトコンベヤ２４の収縮端が収縮するようにプーリ２５ａ，２５ｂを移動させる。これにより、図９（ｃ）に示すように、回収ボックス２８が露出して第１経路が形成され、ベルト２６上の薬剤は、順次、収縮端を経て回収ボックス２８に回収される。ベルト２６上の全薬剤が回収ボックス２８に回収されれば、プーリ２５ａ，２５ｂを元の位置に復帰させ、ベルトコンベヤ２４の駆動を停止する。そして、回収ボックス２８はレール上を搬送されて図示しない供給場所に供給される。
【００２７】
いずれかの薬剤が不足すると、筐体１から引出体２ａ，２ｂ，２ｃを引き出す。そして、該当する収納容器３の扉５を開放して薬剤を補給する。この状態では、図９（ａ）に示すように、ベルトコンベア２４の一端側に回収ボックス２８が位置して第２経路が形成される。したがって、この補給作業中であっても、処方箋データに基づいて、収納容器３から薬剤がベルトコンベア２４に送出される。そして、ベルトコンベア２４を逆方向に駆動し、シャッター２７を開放することにより、薬剤は収縮端と反対側の端部を経て回収ボックス２８に回収される。なお、引出体２ａ，２ｂ，２ｃの引出しが、ベルトコンベア２４による薬剤の搬送中に行われれば、一旦、ベルトコンベヤ２４の駆動を中止する。そして、筐体１から引出体２ａ，２ｂ，２ｃが完全に引き出された後、再びベルトコンベア２４を駆動する。このように、前記ベルトコンベア２４の構成によれば、引出体２ａ，２ｂ，２ｃを引き出した時であっても、ベルト２６上の薬剤を回収ボックス２８に回収でき、作業性を向上させることが可能となる。
【００２８】
なお、前記薬剤供給装置に採用した収納容器３の構成は、調剤機器、たとえば錠剤包装装置、アンプル収納取出し装置、輸液ボトル供給装置等にも容易に転用できる。
【００２９】
また、前記実施形態では、回収手段として回収ボックス２８を開示したが、ベルトコンベア２４と回収ボックス２８の間に、さらに搬送機構を備えてもよいし、包装装置等、他の部材により構成してもよい。
【００３０】
【発明の効果】
以上の説明から明らかなように、本発明によれば、薬剤供給処理を中断させることなく、薬剤の補給作業が可能である。また、筐体内に収容される引出体に複数の収納容器を取り付けることができるので、占有スペースが小さいという効果を有している。
【図面の簡単な説明】
【図１】  本実施形態に係る薬剤供給装置の斜視図である。
【図２】  図１の薬剤供給装置の正面図である。
【図３】  図１の薬剤供給装置の収納容器の一例を示す正面図である。
【図４】  図１の薬剤供給装置の収納容器の一例を示す正面図である。
【図５】  図１の薬剤供給装置の収納容器の一例を示す正面図である。
【図６】  図３の収納容器に収容される薬剤の形態を示す平面図である。
【図７】  図４の収納容器に収容される薬剤の形態を示す斜視図である。
【図８】  図５の収納容器に収容される薬剤の形態を示す斜視図である。
【図９】  図１の薬剤供給装置のベルトコンベアの動作を示す模式図である。
【符号の説明】
１…筐体
２ａ，２ｂ，２ｃ…引出体
３…収納容器
７…保持手段
８…送出手段
９…保持部
１０…ブリスターパック
１１…突出片
１２…シュート
１５…搬送ベルト
１６…箱
１７…アンプル
１８…爪部
２０…昇降リフター
２４…ベルトコンベア（収集手段）
２５ａ，２５ｂ，２５ｃ，２５ｄ，２５ｅ…プーリ
２６…ベルト
２７…シャッター
２８…回収ボックス
２９…制御装置
【図１】
0004230712.tif 000002
【図２】
0004230712.tif 000003
【図３】
0004230712.tif 000004
【図４】
0004230712.tif 000005
【図５】
0004230712.tif 000006
【図６】
0004230712.tif 000007
【図７】
0004230712.tif 000008
【図８】
0004230712.tif 000009
【図９】
0004230712.tif 000010